(57)【要約】【課題】新規広告や企画の制作に一般人を関与させることにより、一般受けする広告をより高い確率で制作することを可能にする広告・企画案制作システムを提供することを課題とする。【解決手段】システム運営者が管理するサーバー１と、インターネット２を介してサーバー１と接続される特定多数の依頼者端末３群及び特定多数のユーザ端末４群とで構成される。依頼者端末３群からの制作要求が投稿要求としてユーザ端末４群にマルチキャスト配信され、ユーザ端末４群から集められた投稿情報が選択要求として制作要求の発信元に送信され、選択された投稿情報が評価要求としてユーザ端末４群にマルチキャスト配信され、集められた評価情報が制作要求の発信元の依頼者端末３に送信されると共に、ユーザ端末４群にマルチキャスト配信される。【選択図】図１
2015153008.tif 000002
【特許請求の範囲】
【請求項１】
システム運営者が管理するサーバーと、インターネットを介して前記サーバーと接続されて前記サーバーとの間で情報の送受信をする特定多数の依頼者端末群及び特定多数のユーザ端末群とで構成される、インターネットを介しての一般人参加型の広告・企画制作システムであって、前記サーバーは、
前記依頼者端末群から取得した広告又は企画の制作依頼に関する制作要求を識別して作成した投稿要求を、前記ユーザ端末群にマルチキャスト配信し、前記ユーザ端末群から取得した前記投稿要求に対応する複数の投稿情報を識別して作成した選択要求を、前記制作要求の発信元に送信する機能と、
前記制作要求の発信元から、前記選択要求の対象となっている複数の投稿情報の中から選択された１又は複数の投稿情報についての選択情報を取得し、識別して作成した評価要求を前記ユーザ端末群にマルチキャスト配信する機能と、
前記ユーザ端末群から、前記評価要求に含まれる投稿情報の良否の評価結果である評価情報を取得して識別し、識別した前記評価情報を前記制作要求の発信元の依頼者端末に送信すると共に、前記ユーザ端末群にマルチキャスト配信する機能と、
を有することを特徴とするインターネットを介しての広告・企画制作システム。
【請求項２】
前記サーバーは、前記ユーザ端末群から取得した前記投稿要求に対応する前記投稿情報を識別して作成した投稿情報の良否についての審査要求を、前記ユーザ端末群にマルチキャスト配信する機能と、
前記ユーザ端末群から、前記審査要求に対する審査結果である審査情報を取得し、識別した後に、前記選択要求を作成する機能とを有する、請求項１に記載のインターネットを介しての広告・企画制作システム。
【請求項３】
前記サーバーは、前記評価情報の識別に際し、評価情報の対象となっている投稿情報に対する当該投稿情報の送信元からの評価情報を無効とする機能を更に有する、請求項１又は２に記載のインターネットを介しての広告・企画制作システム。
【請求項４】
前記サーバーは、前記選択要求の作成に際し、前記審査情報の対象となっている投稿情報に対する当該投稿情報の送信元からの審査情報を無効とする機能を更に有する、請求項２又は３に記載のインターネットを介しての広告・企画制作システム。
【請求項５】
システム運営者が管理するサーバーと、インターネットを介して前記サーバーと接続されて前記サーバーとの間で情報の送受信をする特定多数の依頼者端末群及び特定多数のユーザ端末群とで構成されるシステムを用いたインターネットを介しての一般人参加型の広告・企画制作方法であって、
前記依頼者端末群のいずれかから、広告又は企画の制作依頼に関する制作要求が前記サーバーに送信される制作要求ステップと、
前記サーバーにおいて前記制作要求が取得され、識別されて作成された投稿要求が、前記サーバーから前記ユーザ端末群にマルチキャスト配信される投稿要求配信ステップと、
前記投稿要求を取得した前記ユーザ端末群のうちのいずれかから、前記投稿要求に対応して作成された投稿情報が前記サーバーに送信される投稿情報送信ステップと、
前記サーバーにおいて前記投稿情報が取得され、識別されて作成された選択要求が、前記サーバーから前記制作要求を発信した依頼者端末に送信される選択要求ステップと、
前記選択要求を取得した前記依頼者端末から、その選択要求に含まれる複数の投稿情報を取捨選択した結果が選択情報として前記サーバーに送信される選択情報送信ステップと、
前記サーバーにおいて前記選択情報が取得され、識別されて作成された評価要求が、前記サーバーから前記ユーザ端末群にマルチキャスト配信される評価要求配信ステップと、
前記評価要求を取得した前記ユーザ端末群のうちのいずれかから、前記評価要求に対応して作成された投稿情報の良否の評価結果である評価情報が前記サーバーに送信される評価情報送信ステップと、
前記サーバーにおいて前記評価情報が取得され、識別されて前記サーバーから前記依頼者端末へ送信されると共に、前記ユーザ端末群にマルチキャスト配信される評価情報開示ステップと、
を含むことを特徴とするインターネットを介しての広告・企画制作方法。
【請求項６】
前記選択要求ステップにおける選択要求は、前記サーバーにおいて前記ユーザ端末群から取得した前記投稿要求に対応する複数の前記投稿情報が識別されて作成された、投稿情報の良否についての審査要求が前記サーバーから前記ユーザ端末群にマルチキャスト配信され、前記ユーザ端末群から、前記審査要求に対する審査結果である審査情報を取得し、識別されて作成される、請求項５に記載のインターネットを介しての広告・企画制作方法。
【請求項７】
前記評価情報開示ステップにおいて、前記評価情報の識別に際し、評価情報の対象となっている投稿情報に対する当該投稿情報の送信元からの評価情報が無効とされる、請求項５又は６に記載のインターネットを介しての広告・企画制作方法。
【請求項８】
前記選択要求の作成に際し、前記審査情報の対象となっている投稿情報に対する当該投稿情報の送信元からの審査情報が無効とされる、請求項６又は７に記載のインターネットを介しての広告・企画制作方法。
【請求項９】
前記評価要求の対象となった投稿情報の送信元に対し、何らかの特典付与のためのポイントが付与されるステップを更に含む、請求項５乃至８のいずれかに記載のインターネットを介しての広告・企画制作方法。
【請求項１０】
前記評価要求に対する評価情報の送信元に対し、何らかの特典付与のためのポイントが付与されるステップを更に含む、請求項５乃至９のいずれかに記載のインターネットを介しての広告・企画制作方法。
【請求項１１】
前記投稿要求配信ステップにおいて、広告か企画か、如何なる業種か、その他、人により興味が分かれる可能性のある要素について事前に分野分けし、各ユーザに対して事前に参加希望分野を選択させておき、各ユーザに、選択した以外の分野の投稿要求が送信されないようにする、請求項５乃至１０のいずれかに記載のインターネットを介しての広告・企画制作方法。
【発明の詳細な説明】
【技術分野】
【０００１】
本発明は、インターネットを利用した広告・企画案制作システム及び広告・企画案制作方法に関するものであり、より詳細には、企業がその製品やサービスをアピールするための広告を制作したり、新規事業や新規製品等に関する新企画を設定したりする際に、企業外の一般人の意見を十分に反映することができるインターネットを利用した広告・企画案制作システム及び広告・企画案制作方法に関するものである。
【背景技術】
【０００２】
企業は自社製品やサービスのアピールのために、宣伝広告を行う。その宣伝広告の内容は、当該企業発のものである場合が多く（実際の制作は広告代理店が行う）、一般消費者の意見は反映されていない。換言すれば、企業の広告制作に際し、一般消費者の意見が取り入れられる機会はないため、新規宣伝広告については、一般受けするものか否か、即ち、広告が有効なものであるか否かが不明確なまま、見切り発車せざるを得ない。また、事前にアンケートやマーケティングを行い、その結果をある程度反映させることもできるが、それは限定的であり、また、当該アンケート等を行うためには、時間や手間がかかり、また、コストもかかる。
【０００３】
その一方で、一般受けする有効な宣伝広告を制作する実力があるにもかかわらず、その実力を生かせていないとか、生かす方法や生かせる場所が分からないとかいったように、環境に恵まれず、所謂くすぶっている一般人も少なくない。
【０００４】
そこで、広告制作企業と、広告制作に興味があって広告制作技能に長けた一般人が一体となれば、より有効な広告の制作が可能となるであろうことが推測される。そして、両者が一体となることで、企業側は、一般人が広告制作に携わるために一般人の意見を反映することができて、より一般受けする広告の制作が期待でき、一般人にとっては、広告を制作する場が与えられ、実力を発揮する機会を得ることが可能となり、両者にとってメリットがある。但し、一般人が広告の制作に関与するからといって、必ずしも一般受けするものとなるとは限らない。
【先行技術文献】
【特許文献】
【０００５】
【特許文献１】特許第５３６４２０８号公報
【特許文献２】特許第５２５５７２８号公報
【発明の概要】
【発明が解決しようとする課題】
【０００６】
上述したように、広告制作企業と、広告制作に興味があって広告制作技能に長けた一般人が一体となることにより、一般人が関与しない場合よりも一般受けする広告の制作を期待することができるが、一般人が関与するといっても、関与する一般人は極めて限られた範囲のものであるので、必ずしも、一般受けする広告が制作されるとは限らない。そこで、一般受けする広告や企画をより高い確率で制作し得る方法が求められる。
【０００７】
本発明はかかる要請に応えるためになされたものであって、新規広告や企画の制作に一般人を関与させ、且つ、その広告案の評価にも関与させることにより、一般受けする広告をより高い確率で制作することを可能にする、インターネットを利用した広告・企画案制作システム及びそのシステムを利用した広告・企画案制作方法を提供することを課題とする。
【課題を解決するための手段】
【０００８】
上記課題を解決するための請求項１に記載の発明は、システム運営者が管理するサーバーと、インターネットを介して前記サーバーと接続されて前記サーバーとの間で情報の送受信をする特定多数の依頼者端末群及び特定多数のユーザ端末群とで構成される、インターネットを介しての一般人参加型の広告・企画制作システムであって、前記サーバーは、
前記依頼者端末群から取得した広告又は企画の制作依頼に関する制作要求を識別して作成した投稿要求を、前記ユーザ端末群にマルチキャスト配信し、前記ユーザ端末群から取得した前記投稿要求に対応する複数の投稿情報を識別して作成した選択要求を、前記制作要求の発信元に送信する機能と、前記制作要求の発信元から、前記選択要求の対象となっている複数の投稿情報の中から選択された１又は複数の投稿情報についての選択情報を取得し、識別して作成した評価要求を前記ユーザ端末群にマルチキャスト配信する機能と、前記ユーザ端末群から、前記評価要求に含まれる投稿情報の良否の評価結果である評価情報を取得して識別し、識別した前記評価情報を前記制作要求の発信元の依頼者端末に送信すると共に、前記ユーザ端末群にマルチキャスト配信する機能と、
を有することを特徴とするインターネットを介しての広告・企画制作システムである。
【０００９】
一実施形態においては、前記サーバーは、前記ユーザ端末群から取得した前記投稿要求に対応する前記投稿情報を識別して作成した投稿情報の良否についての審査要求を、前記ユーザ端末群にマルチキャスト配信する機能と、前記ユーザ端末群から、前記審査要求に対する審査結果である審査情報を取得し、識別した後に、前記選択要求を作成する機能とを有する。
【００１０】
一実施形態においては、前記サーバーは、前記評価情報の識別に際し、評価情報の対象となっている投稿情報に対する当該投稿情報の送信元からの評価情報を無効とする機能を有し、また、前記サーバーは、前記選択要求の作成に際し、前記審査情報の対象となっている投稿情報に対する当該投稿情報の送信元からの審査情報を無効とする機能を更に有する。
【００１１】
上記課題を解決するための請求項５に記載の発明は、システム運営者が管理するサーバーと、インターネットを介して前記サーバーと接続されて前記サーバーとの間で情報の送受信をする特定多数の依頼者端末群及び特定多数のユーザ端末群とで構成されるシステムを用いたインターネットを介しての一般人参加型の広告・企画制作方法であって、
前記依頼者端末群のいずれかから、広告又は企画の制作依頼に関する制作要求が前記サーバーに送信される制作要求ステップと、前記サーバーにおいて前記制作要求が取得され、識別されて作成された投稿要求が、前記サーバーから前記ユーザ端末群にマルチキャスト配信される投稿要求配信ステップと、前記投稿要求を取得した前記ユーザ端末群のうちのいずれかから、前記投稿要求に対応して作成された投稿情報が前記サーバーに送信される投稿情報送信ステップと、前記サーバーにおいて前記投稿情報が取得され、識別されて作成された選択要求が、前記サーバーから前記制作要求を発信した依頼者端末に送信される選択要求ステップと、前記選択要求を取得した前記依頼者端末から、その選択要求に含まれる複数の投稿情報を取捨選択した結果が選択情報として前記サーバーに送信される選択情報送信ステップと、前記サーバーにおいて前記選択情報が取得され、識別されて作成された評価要求が、前記サーバーから前記ユーザ端末群にマルチキャスト配信される評価要求配信ステップと、前記評価要求を取得した前記ユーザ端末群のうちのいずれかから、前記評価要求に対応して作成された投稿情報の良否の評価結果である評価情報が前記サーバーに送信される評価情報送信ステップと、前記サーバーにおいて前記評価情報が取得され、識別されて前記サーバーから前記依頼者端末へ送信されると共に、前記ユーザ端末群にマルチキャスト配信される評価情報開示ステップと、を含むことを特徴とするインターネットを介しての広告・企画制作方法である。
【００１２】
一実施形態においては、前記選択要求ステップにおける選択要求は、前記サーバーにおいて前記ユーザ端末群から取得した前記投稿要求に対応する複数の前記投稿情報が識別されて作成された、投稿情報の良否についての審査要求が前記サーバーから前記ユーザ端末群にマルチキャスト配信され、前記ユーザ端末群から、前記審査要求に対する審査結果である審査情報を取得し、識別されて作成される。
【００１３】
一実施形態においては、前記評価情報開示ステップにおいて、前記評価情報の識別に際し、評価情報の対象となっている投稿情報に対する当該投稿情報の送信元からの評価情報が無効とされ、また、前記選択要求の作成に際し、前記審査情報の対象となっている投稿情報に対する当該投稿情報の送信元からの審査情報が無効とされる。
【００１４】
一実施形態においては、前記評価要求の対象となった投稿情報の送信元に対し、何らかの特典付与のためのポイントが付与されるステップを更に含み、また、前記評価要求に対する評価情報の送信元に対し、何らかの特典付与のためのポイントが付与されるステップを更に含む。
【００１５】
また、一実施形態においては、前記投稿要求配信ステップにおいて、広告か企画か、如何なる業種か、その他、人により興味が分かれる可能性のある要素について事前に分野分けし、各ユーザに対して事前に参加希望分野を選択させておき、各ユーザに、選択した以外の分野の投稿要求が送信されないようにする。
【発明の効果】
【００１６】
本発明は上述した通りのものであって、企業の広告や企画に興味を持つ一般人は、会員登録をすることによって本システムに参加し、新規広告や企画の制作を求める企業からの制作依頼に応じて広告や企画を制作する機会を得ることができ、また、企業の立場からすると、広告や企画の制作に多くの一般人を関与させ、且つ、その広告・企画案を評価させることにより、一般受けする広告・企画をより高い確率で制作することが可能となる効果がある。
【図面の簡単な説明】
【００１７】
【図１】本発明に係るインターネットを利用した広告・企画案制作システムの概要図である。
【図２】本発明に係るインターネットを利用した広告・企画案制作方法の流れを示す図である。
【発明を実施するための形態】
【００１８】
本発明に係るインターネットを利用した広告・企画案制作システム及び広告・企画案制作方法につき、添付図面に依拠して説明する。図１は、本発明に係るインターネットを利用した広告・企画案制作システムの概要図であり、そこに示されるように、本システムは、システム運営者が管理するサーバー１と、インターネット２を介してサーバー１と接続されてサーバー１との間で情報の送受信をする特定多数の依頼者端末３と、特定多数のユーザ端末４とで構成される。
【００１９】
依頼者端末３は、本発明に係るシステムを利用して広告・企画案の制作を依頼する企業が管理するもので、その数は問わない。ユーザ端末４は、本発明に係るシステムに参加を希望するユーザ（会員）が管理するもので、その数は問わない。後述するように、ユーザ端末４は、ユーザが投稿者の立場にある時には投稿者端末４ａとなり、評価者の立場にあるときは評価者端末４ｂとなる。即ち、いずれのユーザ端末４が投稿者端末４ａとなり、また、評価者端末４ｂとなるかは案件ごとに定まるものであって、一律に定まるものではない。
【００２０】
本システムに参加を希望する企業者とユーザは、予め、インターネット２を介してサーバー１（運営者サイト）から一般に参加会員の募集を行い、会員登録されたものに限定される。なお、本発明において用いられる各端末３、４（４ａ、４ｂ）は、インターネット２を介しての情報の送受信が可能なものであればその種類を問わず、パソコンの他、携帯電話機（スマートフォンを含む）やタブレット型端末等の通信機器を用いることができる。そして、本システムの利用に際しては、会員登録後、それらの機器に、本システムを動作させるための特定のアプリケーションをインストールする。
【００２１】
本発明に係るシステムにおけるサーバー１は、複数の依頼者端末３のうちのいずれかから送られてくる広告又は企画の制作依頼に関する制作要求を識別して作成した投稿要求を、特定多数のユーザ端末４にマルチキャスト配信し、ユーザ端末４群から送られてくる投稿要求に対応する多数の投稿情報を識別し、選択要求として制作要求の発信元である依頼者端末３に送信する機能と、その選択要求を受信した依頼者端末３から、選択要求の対象となっている複数の投稿情報の中から選択された１又は複数の投稿情報についての選択情報を取得して識別し、評価要求としてユーザ端末４群にマルチキャスト配信する機能を有する。
【００２２】
なお、選択要求の作成に先立ち、投稿情報についての投稿者以外のユーザが、当該投稿情報の良否についての審査を行う機会を設けるようにすることができる。即ち、サーバー１に、ユーザ端末４群から取得したある投稿要求に対応する複数の投稿情報を識別して作成した、投稿情報の良否を問うための審査要求を、ユーザ端末４群にマルチキャスト配信する機能と、ユーザ端末４群から、当該審査要求に対する審査結果である審査情報を取得し、識別した後に、選択要求を作成する機能を具備させることもある。
【００２３】
サーバー１はまた、評価要求の対象となっている投稿情報の良否の評価結果である評価情報を複数のユーザ端末４群から取得して識別し、識別した評価情報を依頼者端末３及びユーザ端末４群に送信する機能を有する。
【００２４】
好ましい実施形態におけるサーバー１は更に、評価情報の識別に際し、評価要求の対象となっている投稿情報の送信元からの当該評価要求に係る投稿情報に対する評価情報を無効とする機能を有する。即ち、自らの投稿情報に対する評価情報を受け付けないようにするのである。また更に、同様の趣旨で、サーバー１に、選択要求の作成に際し、審査情報の対象となっている投稿情報に対する当該投稿情報の送信元からの審査情報を無効とする機能を具備させることもある。
【００２５】
本発明に係るインターネットを利用した広告・企画案制作方法は、上記システムを利用したものである。以下に、本発明に係る方法につき、会員登録から新規広告案又は企画案の採択に至るまでの過程を、図２の流れ図を参照しつつ詳細に説明する。なお、以下の説明は広告案に関するものであるが、企画案の作成の場合も基本的に同じ流れとなるので、企画案作成についての流れの説明は省略する。
【００２６】
＜会員登録ステップ＞
先ず、サーバー１（運営者サイト）において、インターネット２を介して本システムの説明と参加を希望する者の一般募集を行う。募集対象は、一般人の意見を十分に取り入れた新規広告案又は企画案の作成を依頼したい企業者と、広告案又は企画案作成を希望する一般人、あるいは、広告や新製品等に興味のある一般人である。これらの参加を希望する企業者及び一般人は、予め、サーバー１（運営者サイト）から供給される登録用フォームを用いて登録申請をし、所定の要件を満たした場合に会員登録され、特定のＩＤコード等が付与される（ステップＳ１）。
【００２７】
＜制作要求ステップ＞
制作要求ステップは、広告の制作を希望する企業者が、その依頼者端末３からサーバー１に、広告の内容、例えば、商品やサービスの種類、コンセプト、アピールポイント、容量（動画の場合は時間、静止画の場合は画像の大きさ等）等の広告資料情報、並びに、募集の期間や期限等の投稿条件等を含む制作要求を送信するステップである（ステップＳ２）。この制作要求は、サーバー１（運営者サイト）から供給される制作要求用フォームを用いて行う。例えば、制作要求用フォームには、業種や商品・サービスの種類、案作成期限等の定型的識別要素が含まれる。
【００２８】
＜投稿要求配信ステップ＞
投稿要求配信ステップは、サーバー１において依頼者端末３から送信された制作要求を取得し、主にその制作要求用フォームの定型的識別要素を介して要求内容の識別を行い、それを基礎として投稿要求を作成し、すべてのユーザ端末４にマルチキャスト配信するステップである（ステップＳ３）。
【００２９】
なお、ユーザごとに、興味のある分野（業種、広告と企画等）と興味のない分野が異なると考えられる。そこで、事前に分野分けを行い、会員登録の際等に、希望する者に対して分野の選定を行うことができるようにし、分野の選定をしたユーザには、選定した分野の投稿要求のみが送信されるようにしてもよい。そのようにした場合は、多くの投稿要求を受信したユーザが、その都度興味のある分野のものを選択する手間が省け、本システムをより効率よく運用することが可能となる。
【００３０】
＜投稿情報送信ステップ＞
投稿情報送信ステップは、サーバー１からの投稿要求を受信したユーザのうち、投稿を希望するユーザによって作成された投稿要求に沿った内容の投稿情報が、ユーザ端末４（投稿者端末４ａ）から、インターネット２を経由してサーバー１に送信されるステップである（ステップＳ４）。投稿要求を受信したユーザは、投稿するか否か任意に決定し得る。例えば、投稿情報には、文字（商標、キャッチフレーズ、商品説明等）、写真、イラスト等が含まれる。なお、設定期間内に十分な投稿がない場合は、当該期間の延長をする等の調整を適宜行うこととする（後出の評価の場合も同様）。
【００３１】
＜選択要求送信ステップ＞
選択要求送信ステップは、サーバー１が、投稿者端末４ａから送信された投稿情報を複数取得し、取得した投稿情報を識別して選択要求を作成し、その選択要求を、当該投稿情報に対応する制作要求を発信した依頼者端末３に送信するステップである（ステップＳ６）。
【００３２】
このステップにおけるサーバー１による投稿情報の識別は、少なくとも、その投稿情報がいずれの依頼者端末３からの制作要求に対応するものであるかを認識することであり、また、その制作要求に含まれた期日や期間等の要件を満たしているか否か、容量（動画の場合は動画の時間、静止画の場合は画像の大きさ等）の要件を満たしているか否か等を判定することである。そして、各要件を満たさない投稿情報については、依頼者端末３に通知することなく、当該投稿者端末４ａに返却する等の措置を取る。
【００３３】
なお、選択要求の作成に先立ち、当該投稿情報についての投稿者以外のユーザが、当該投稿情報の良否について審査をするステップを介在させることもある。即ち、先ず、サーバー１においてユーザ端末４群から取得した投稿要求に対応する複数の投稿情報が識別されて作成された、投稿情報の良否について問う審査要求が、サーバー１からユーザ端末４群にマルチキャスト配信される（ステップ５）。そして、サーバー１において、ユーザ端末４群から、前記審査要求に対する審査結果である審査情報が取得され、識別されて選択要求が作成されるようにすることができる。
【００３４】
この審査要求における審査の方法としては、例えば、依頼者企業が定めた、あるいは、システム運営者が定めた評価基準を選択方式によって選択して評価させる方法とすることができ（例えば、○、△、×の三択方式）、あるいは、記述式審査方法とすることもできる。
【００３５】
また、その際、サーバー１において、選択要求の作成に際し、審査情報の対象となっている投稿情報に対する当該投稿情報の送信元からの審査情報を無効とするステップを含めることもある。これは、自らの投稿情報に対する審査を受け付けないようにするためである。
【００３６】
＜選択情報送信ステップ＞
選択情報送信ステップは、サーバー１からの選択要求を受信した依頼者端末３の管理者である依頼者企業において、受信した選択要求に含まれる複数の投稿情報を閲覧し、その中から所望の１又は複数の投稿情報を選択し、それを選択情報としてサーバー１に送信するステップである（ステップＳ７）。この段階で、サーバー１から送られてくる選択要求に係る投稿情報を閲覧できるのは、当該投稿情報に対応する制作要求を発信した依頼者端末３においてのみであり、ここにおいて選択されなかった投稿情報は、以後閲覧に供されることはない。
【００３７】
＜評価要求配信ステップ＞
評価要求配信ステップは、サーバー１において、依頼者端末３から取得した選択情報を、各ユーザ端末４にマルチキャスト配信するステップである（ステップＳ８）。投稿したユーザ（投稿者）は、この段階で自らの投稿が選択されたか否かを確認することができることになる。各ユーザは、自らの投稿情報についての評価要求以外の評価要求に対してのみ、評価情報の作成が可能となる。
【００３８】
この評価要求における評価の方法としては、例えば、依頼者企業が定めた、あるいは、システム運営者が定めた評価基準を選択方式によって選択して評価させる方法とすることができ（例えば、○、△、×の三択方式）、あるいは、記述式評価方法とすることができる。
【００３９】
＜評価情報送信ステップ＞
評価情報送信ステップは、サーバー１からの評価要求を受信した投稿者以外のユーザのうち、評価情報の作成を希望するユーザによって作成された評価情報が、ユーザ端末４（評価者端末４ｂ）から、インターネット２を経由してサーバー１に送信されるステップである（ステップＳ９）。
【００４０】
＜評価情報開示ステップ＞
評価情報開示ステップは、サーバー１が、評価者端末４ｂ群から取得した複数の評価情報を識別して、その評価情報を依頼者端末３に送信すると共に、各ユーザ端末４にマルチキャスト配信するステップである（ステップＳ１０）。この評価情報の開示により、当該投稿情報に対するユーザの評価を認識することができる。なお、例えば、評価方式として、「○、△、×」の三択評価方式を採用し、「○」の評価が過半数を越えた投稿情報のみを、依頼者端末３に送信し、且つ、各ユーザ端末４にマルチキャスト配信する評価情報の対象とするようにすることもできる。
【００４１】
上述したステップを経て、制作要求に対応して作成され、依頼者によって選択された投稿情報に対するユーザの評価が依頼者に供給され、依頼者は、その評価を考慮しつつ、当該投稿情報に基づく広告を制作するか否か最終的に判断することになる。
【００４２】
付加的サービスとして、投稿情報、審査情報又は評価情報の送信元に対し、その都度何らかの特典付与のためのポイントを付与するようにすることができる。例えば、投稿情報の送信元に対して投稿ごとに５点、それが選択された場合には２０点、評価の段階で、あるレベルに達した場合には５０点、審査情報及び評価情報の送信元に対しては、送信の度に１点とかいった具合である。これらのポイント付与並びにその集計は、サーバー１内において処理される。
【００４３】
本発明に係るシステム及び方法は、主に、新規広告や企画の制作に適用されるものであるが、それ以外にも、例えば、当該企業の企業案内の表紙の募集や社歌の募集、その他インターネットを介して情報交換が可能なものであれば、その種類を問わない。そして、いずれの場合も、上述した広告の場合と同様に運営されることになる。
【００４４】
この発明をある程度詳細にその最も好ましい実施形態について説明してきたが、この発明の精神と範囲に反することなしに広範に異なる実施形態を構成することができることは言うまでもない。
【符号の説明】
【００４５】
１      サーバー
２      インターネット
３      依頼者端末
４      ユーザ端末
４ａ    投稿者端末
４ｂ    評価者端末
【図１】
2015153008.tif 000003
【図２】
2015153008.tif 000004